(57)【要約】【課題】  ステッキの転倒を防ぐための具であって、机や食卓等の対象物の端を指先で撮むような形で固定し、ステッキを自立させるための指先の代用品の撮み具として対象物を抱え込んで挟む事の出来るチャックを用い、該チャックをステッキに常設させるためのステッキ掛け止め用フックとを繋ぎ合わせて一対の形体を成したステッキ転倒防止具を提供する。【解決の手段】  ステッキに掛け止めするためのフック２とチャック１とを繋ぎ合わせ、フック２には、連結シャフト３を軸にチャック１を上下１８０度の転回をさせる特徴を持たせ、チャック１には、連結ピン４を軸に連結ピン孔５によって３６０度の回転を可能とする特徴を備えさせ、これら二つの特徴を組み合わせることによって上下及び垂直・水平・斜めと広範囲に亘って机等の対象物を挟み込んでステッキを自立させようとするものであり、更には、チャック１には着脱翼１ａ及び挟み翼１ｂを設け、該着脱翼１ａによって障害者の方が片手で簡単に対象物への着脱を可能としたことを特徴とする。【選択図】図１
2010172685.tif 000002
【特許請求の範囲】
【請求項１】
対象物を挟み込んでステッキを自立させる特徴をチャック１に、該チャック１を繋ぎステッキに掛け止めする特徴をフック２にそれぞれ持たせ、挟み込む対象物やステッキの形状も様々であり、これらに対応させるためにチャック１及びフック２の全体を伸縮性・弾力性・反復性・反発力（以下バネ構造等と称す。）等の柔軟性に富む材質で構成させた、チャック１及びフック２のそれぞれが持つ特徴を繋ぎ合わせて一対の形体を成したことを特徴とするステッキ転倒防止具。
【請求項２】
前記チャック１は、対象物を挟み込んでステッキを自立させるため、中空のリング状の一部を切り取られて開口を有した半円形状又は、半楕円形状の形体をなしたチャック１であって、該チャック１には、対象物を挟んでステッキの自立を促がす装置とフック２と繋ぐ装置を備え、上記ステッキの自立を促がすために一部を切り取られて有した開口の一方の端には、対象物への着脱を滑らかに行うための湾曲の着脱翼１ａを、他方の端には、対象物の下に押し入りやすく且つ、下から押し上げるように挟み込んでステッキの自立を確立する挟み翼１ｂをそれぞれチャック１に設けた事を特徴とする請求項１記載のステッキ転倒防止具。
【請求項３】
また、該開口に対面する中腹部には、後述の連結ピン４を繋ぎ止める為の連結ピン孔５を設け、該連結ピン孔５にはチャック１の回転を自在とするために連結ピン４の直径よりやや大き目とし、該連結ピン孔５と連結ピン４との間に隙間を設ける事によって、連結ピン４を軸にチャック１が３６０度の回転を確保されて垂直・水平・斜めと広範囲に亘って対象物を挟み込む事を可能する連結ピン孔５をチャック１に設けた事を特徴とする請求項２記載のステッキ転倒防止具。
【請求項４】
また、連結ピン４は、フック２とつなぎ合わせるため、先端が二股に分けられその先に連結リング６が設けられた形体を成した連結ピン４であって、該連結ピン４はチャック１に設けられた連結ピン孔５に常設されているものである。さらには、該連結ピン４は、その先端に付随する連結リング６とフック２に備えられた後述の連結翼２ａを後述の連結シャフト３によって繋がれ一対の形体を成したステッキ転倒防止具を構成するための連結ピン４をチャック１に備えた事を特徴とする請求項２記載のステッキ転倒防止具。
【請求項５】
また、チャック１には、挟み翼１ｂと連結ピン孔５との間に咬み込み口１ｃを設け、該咬み込み口１ｃは、ステッキを使用しての歩行中にチャック１が揺れて音を発することや歩行の妨げとなる事を防ぐために、後述の起伏バネ７によって、チャック１がステッキ面に折り畳まれ咬み込み口１ｃはステッキに咬み付いて、チャック１を固定するための、該咬み込み口１ｃをチャック１に設けた事を特徴とする請求項２記載のステッキ転倒防止具。
【請求項６】
前述のフック２は、ステッキに掛け止めするために、円筒形の一部を切り取って有した開口を備えた半円筒形の形体を成したフック２であって、該フック２はステッキに掛け止めする特徴と、チャック１を繋いでステッキに常設するための装置を備えている事を特徴とする請求項１記載のステッキ転倒防止具。
【請求項７】
また、該フック２には、一部を切り取って有した開口に対面する中腹部の左右に連結翼２ａを備え、該連結翼２ａには、チャック１に備えられた連結ピン４に設けた連結リング６を後述の連結シャフト３によって繋ぎ、一対のステッキ転倒防止具を構成する、該連結翼２ａをフック２に設けた事を特徴とする請求項６記載のステッキ転倒防止具。
【請求項８】
また、フック２には、前述の連結シャフト３を備え、該連結シャフト３は連結翼２ａと、チャック１に備えられた連結ピン４を繋と同時に、連結ピン４の軸となってチャック１を上下１８０度の転回を確立し、該チャック１は対象物が縦軸内の如何なる位置にあっても挟み込む事を可能とする、該連結シャフト３をフック２に備えた事を特徴とする請求項６記載のステッキ転倒防止具。
【請求項９】
また、該フック２には、連結翼２ａの間に起伏バネ７を備え、該起伏バネ７は歩行中にチャック１が揺れて音を発することや歩行の妨げとなる事等を、該起伏バネ７によりステッキ面に折り畳み固定する、該起伏バネ７をフック２に備えた事を特徴とする請求項６記載のステッキ転倒防止具。
【発明の詳細な説明】
【技術分野】
【０００１】  本発明は、ステッキの転倒を防ぐためにステッキに常設して、机や食卓等（以下対象物と称す。）にステッキを固定して自立させるための、ステッキ転倒防止具に関する。
【背景技術】
【０００２】  従来、ステッキに装着し、倒れを防ぐものとして、ステッキに掛け止めするフックに、バネによって起伏する起伏板を取り付け、該起伏板を起こして、対象物に接着（引っ掛け）させ、自立させるものがある。【０００３】  また、特定の場所に設置して、利用されているものもある。【０００４】  以下、図３により、従来の転倒防止具について説明する。図において１３は、フックであって、ステッキに掛け止めするものであり、１４は起伏板である。該起伏板を対象物の端に接着（引っ掛け）させ、ステッキの自立を促がすものである。１５は上記１３と１４を繋ぐための蝶番であって、起伏板を起伏するための起伏バネを内蔵している。１７は起伏板が起伏バネによって、ステッキ面に折りたたまれている状況を示す図である。【０００５】  従って従来は、フックに起伏板を設けたものをステッキに取り付け、この起伏板を対象物の端の表面に接着（引っ掛け）させて、ステッキを自立させようとするものである。【０００６】  しかしながら、これでは安定性に欠け、食堂などでは通り過ぎようとする人の歩く振動で、ステッキがその人の前に倒れ、障害者の方が睨まれて謝っているという、寂しげな姿が見られる。【０００７】  また、上記によって倒された、ステッキを拾い起こすのに、苦労をしている障害者の方の悲しげな姿も見られ、一抹の寂しさをさそう。
【先行技術文献】
【特許文献】
【０００８】
【特許文献１】特開２００６−２３９３７８
【非特許文献】
【０００９】
【非特許文献１】（インターネットのステッキ・器具で楽天市場の新作ゾクゾク入荷中！ステッキのことなら楽天ファション雑貨・小物市場）広告文責フィード株式会社・メーカー象印ベビーを参照。
【発明の概要】
【発明が解決しようとする課題】
【００１０】  以上に述べた、従来のステッキの転倒を防止する器具では、対象物に接着（引っ掛け）させる程度のものであって、対象物にしっかりと固定され、自立させる構造となっていないため、幼児が走り回ったわずかな風圧や、人の歩く振動などで倒れる欠点がある。【００１１】  また、堅固に固定されるものもあるが、それは特定の場所に設置されているものであって、使用者に連れ添うように共に移動して、訪問先で手軽に使用できるものではない。【００１２】  本発明は、このような従来の構造が有していた、欠点を解決しようとするものであり、特には、身体障害者の方々に優しく、手軽で使い易くすることを目的として、なされたステッキ転倒防止具であって、対象物の端を指先で撮むような形で固定し、自立させるための指先の代用品の撮み具として、対象物を抱え込んで、挟む事の出来るチャックを用い、該チャックをステッキに常設させるための、ステッキ掛け止め用フックとを繋ぎ合わせて、一対の形体を成したステッキ転倒防止具である。
【課題を解決するための手段】
【００１３】  そして、本発明は、上記目的を達成するため、対象物を挟み込んでステッキを自立させる特徴をチャック１に、該チャック１を繋ぎステッキに掛け止めする特徴をフック２にそれぞれ持たせ、挟み込む対象物やステッキの形状も様々であり、これらに対応させるためにチャック１及びフック２の全体を伸縮性・弾力性・反復性・反発力（以下バネ構造等と称す。）等の柔軟性に富む材質で構成させた、チャック１及びフック２のそれぞれが持つ特徴を繋ぎ合わせて、一対の形体を成したことを特徴とするステッキ転倒防止具。【００１４】  前記チャック１は、対象物を挟み込んでステッキを自立させるため、中空のリング状の一部を切り取られて開口を有した半円形状又は、半楕円形状の形体をなしたチャック１であって、該チャック１には、対象物を挟んでステッキの自立を促がす装置とフック２と繋ぐための装置を備え、上記ステッキの自立を促がすために一部を切り取られて有した開口の一方の端には対象物への着脱を滑らかに行うための湾曲の着脱翼１ａを、他方の端には対象物の下に押し入りやすく且つ、下から押し上げるように挟み込んでステッキの自立を確立する挟み翼１ｂを備える。
また、切り取られて有した開口を対象物の挟み込み口９とし、該挟み込み口９から対象物を奥深く抱え込んでステッキの自立を促す抱え込み空洞１０を備える。
また、該開口に対面する中腹部には、後述の連結ピン４を繋ぎ止める為の連結ピン孔５を設け、該連結ピン孔５にはチャック１の回転を自在とするために連結ピン４の直径よりやや大き目とし、該連結ピン孔５と連結ピン４との間に隙間を設ける事によって、連結ピン４を軸にチャック１が３６０度の回転を確保されて垂直・水平・斜めと広範囲に亘って対象物を挟み込む事が可能なる。
また、前述の連結ピン４は、フック２とつなぎ合わせるため、先端が二股に分けられその先に連結リング６が設けられた形体を成した連結ピン４であって、該連結ピン４はチャック１に設けられた連結ピン孔５に常設されているものである。さらには、該連結ピン４は、その先端に付随する連結リング６とフック２に備えられた後述の連結翼２ａを後述の連結シャフト３によって繋がれる。
また、当該チャック１には、挟み翼１ｂと連結ピン孔５との間に咬み込み口１ｃを設け、該咬み込み口１ｃは、ステッキを使用しての歩行中にチャック１が揺れて音を発することや、歩行の妨げとなる事を防ぐために、後述の起伏バネ７によって、チャック１がステッキ面に折り畳まれ咬み込み口１ｃはステッキに咬み付いて、チャック１を固定する等の特徴を備えたステッキ転倒防止具。【００１５】  前述のフック２は、ステッキに掛け止めするために、円筒形の一部を切り取って有した開口を備えた半円筒形の形体を成したフック２であって、該フック２はステッキに掛け止めする特徴と、チャック１を繋いでステッキに常設するための装置を備えている。
また、フック２は一部を切り取って有した開口をステッキの嵌め込み口１１とし、半円筒形の内部をステッキの嵌め込み空洞部１２とし、嵌め込み口１１には、ステッキの嵌め込みを滑らかに行えるようにガイド８を設ける。
また、該フック２には、一部を切り取って有した開口に対面する中腹部の左右に連結翼２ａを備え、該連結翼２ａには、チャック１に備えられた連結ピン４に設けた連結リング６を後述の連結シャフト３によって繋ぐ。
また、フック２には、前述の連結シャフト３を備え、該連結シャフト３は連結翼２ａと、チャック１に備えられた連結ピン４を繋と同時に、連結ピン４の軸となってチャック１を上下１８０度の転回を確立し、該チャック１は対象物が縦軸内の如何なる位置にあっても挟み込む事を可能とする。
また、該フック２には、連結翼２ａの間に起伏バネ７を備え、該起伏バネ７は歩行中にチャック１が揺れて音を発することや歩行の妨げとなる事等を、該起伏バネ７によりステッキ面に折り畳み固定する等の特徴を備えたステッキ転倒防止具。
【発明の効果】
【００１６】  本発明の、ステッキ転倒防止具は、ステッキに常設できて、これを使う人に伴って移動し、訪問先では対象物の端を気軽に挟み込んで転倒を防ぎ、ステッキの置き場所等に、苦慮する事が解消される。
また、歩行中に当該チャック１が揺れて音を発することや、歩行の妨げになる事等を起伏バネ７と咬み込み口１ｃによって抑制され、同時に湾曲の着脱翼１ａ及び挟み翼１ｂを備えた事により、図１の折り畳み図１６の状態で、対象物の上に湾曲の着脱翼１ａを接着させ、下方へ押し下げることによってその圧力で湾曲部が圧迫され、該湾曲の着脱翼１ａは、圧力の無い方向へ逃げようとして前進する。この作用で該湾曲の着脱翼１ａに曳かれ、湾曲の挟み翼１ｂが対象物の下へ押し入って、下から上へ押し上げる様にして、対象物を挟み込みステッキを自立させる。
これによって体の不自由な方が片手で容易に着脱操作が行える事と成る。バネ構造等の柔軟性に富む材質で構成させようとした事は、上記の作用等を狙って成したものである。
【発明を実施するための最良の形態】
【００１７】  以下、本発明の実施の形態を図に基づいて説明する。【００１８】  図１は本発明の実施の形態に係わるステッキ転倒防止具の斜視図である。図２は図１のステッキ転倒防止具の連結部のＡ−Ａ平面図とチャック１の一部部分の断面図である。図３は従来の転倒防止器具を一例として示す図である。【００１９】  図１はチャック１とフック２を繋いで一対の形体をなしたことを示した図であり、また、同図の折り畳み図１６は、チャック１が起伏バネ７によってステッキ面に折り畳まれた状況を示し図である。上記チャック１は中空のリング状の一部を切り取られた開口を有した半円形状又は、半楕円形状の形体を成しバネ構造等の柔軟性に富む材質で構成され、フック２によってステッキに常設され対象物を挟み込んでステッキの自立を確保するものである。当該チャック１には着脱翼１ａ、挟み翼１ｂ、咬み込み口１ｃ及び連結ピン４、連結ピン孔５並びに挟み込み口９、空洞部１０から成るチャック１である。【００２０】  上記着脱翼１ａは、バネ構造等で柔軟性に富む材質で構成され、対象物を挟みやすくするため湾曲となっている。これは図１の折り畳まれた図１６の状態で、該湾曲部を対象物の上に接着させ下方へ押し下げる事によって、その圧力で湾曲部が圧迫されバネ構造等で構成された着脱翼１ａは圧力の無い方へ逃げようと作動し前方へ進もうとする。この作用によって体の不自由な方にあっても片手で容易に着脱操作ができるようにと狙ってなされたものである。【００２１】  挟み翼１ｂは上記着脱翼１ａの作用に曳かれて対象物の下に押し入り、バネ構造等の力で下から対象物を押し上げ挟む事となるのである。また、１ａ及び１ｂともに湾曲の構造体を成したことは、対象物を傷めない事と滑らかな動きを狙ったものである。
また、特に湾曲の挟み翼１ｂは挟み込む対象物の厚さ等によって、チャック１が変形した場合であっても湾曲部のいずれかの部分が対象物に接着して挟み込む事を狙って成されたものである。【００２２】  咬み込み口１ｃはチャック１が歩行中の妨げにならないように、起伏バネ７によって、ステッキ面に折り畳まれた際、ステッキを咬み込んで固定させるためのものである。【００２３】  連結ピン４は、先端が二股に分けられその先に連結リング６をそれぞれ備え、二股の間に起伏バネ７を収め、該起伏バネ７によってチャック１を図１の折り折り畳み図１６の如くステッキ面に折り畳むものであると同時に、次に述べる役割を担うものである。
該連結ピン４は、連結翼２ａ及び連結シャフト３によってフック２とチャック１を繋ぎ一対のステッキ転倒防止具を講成させるものである事。
該連結ピン４は、連結シャフト３を軸にチャック１を上下１８０度の転回を自在とさせるものである事。
該連結ピン４が、軸となって連結ピン孔５を通じてチャック１の回転を３６０度自在とする事等である。【００２４】  連結ピン孔５はチャック１と連結ピン４を繋ぐと同時に、チャック１の回転を補うものである。従ってこの回転を確保するためには、連結ピン４の直径よりやや大き目とすることが望ましいのである。【００２５】  挟み込み口９は着脱翼１ａと挟み翼１ｂの間に対象物を挟み込ませるための開口部であり、チャック１のバネ構造等が対応できる限界まで口を開くものである。【００２６】  抱え込み空洞部１０は着脱翼１ａと挟み翼１ｂの間に対象物をより深く抱え込んで、確実に挟ませる為のものである。【００２７】  図１に示すフック２は、ステッキに掛け止するものであると同時に、前述のチャック１を連結ピン４、連結リング６を通じて連結翼２ａ及び連結シャフト３によって繋いで、チャック１をステッキに常設するためのものである。該フック２には連結翼２ａ、連結シャフト３、起伏バネ７、着脱ガイド８、嵌め込み口１１、嵌め込み空洞部１２を有している。【００２８】  連結翼２ａにあっては、図２に示すように該連結翼２ａに連結シャフト３によって起伏バネ７を連結リング６の間に収めると同時にチャック１とフック２を繋いで一対のステッキ転倒防止具を構成させるものである。【００２９】  連結シャフト３は連結翼２ａと連結ピン４を繋いで一対のステッキ転倒防止具を構成させると同時に、該連結シャフト３が軸となって連結ピン４とチャック１を上下１８０度の転回を確立させるものである。【００３０】  起伏バネ７は連結シャフト３によって連結リング６の間に収められチャック１を折り畳む役割を担うものである。【００３１】  着脱ガイド８はステッキにフック２を着脱する際に傷めずに滑らかに行うためのものである。【００３２】  嵌め込み口１１はステッキを嵌め込むための開口部である。【００３３】  嵌め込み空洞部１２は、フック２をステッキに掛け止するためのステッキの嵌め込みスペースである。
【図面の簡単な説明】
【００３４】
【図１】  本発明の実施の形態に係わるステッキ転倒防止具の斜視図。
【図２】  図１のステッキ転倒防止具の連結部分のＡ−Ａ平面図とチャック１の一部部分の断面図。
【図３】  従来の転倒防止具を一例として示す図。
【符号の説明】
【００３５】  １  チャック
１ａ着脱翼
１ｂ挟み翼
１ｃ咬み込み口
２  フック
２ａ連結翼
３  連結シャフト
４  連結ピン
５  連結ピン孔
６  連結リング
７  起伏バネ
【図１】
2010172685.tif 000003
【図２】
2010172685.tif 000004
【図３】
2010172685.tif 000005